(57)【要約】【課題】部品点数、製造コストを削減でき、汚水受け上の清掃を容易にでき、汚水受け上の汚水が汚水受けから漏れ出すことを防止できる可搬便器及びこれにこれに用いる汚物受けを提供する。【解決手段】便器外郭体５を備える。便器外郭体５内に形成した上方に開口する収納部に収納される汚水受け７を備える。汚水受け７に出入自在に収納される排泄物容器８を備える。汚水受け７は上方に開口する容器状の汚水受け本体３１を備える。汚水受け７は汚水受け本体３１の上端開口の周縁部から外方に向けて突出して便座２を載置するための便座載置部３４を構成するフランジ部３２を備える。フランジ部３２を収納部６の上端開口の周縁部上に前後方向にスライド自在に載置する。汚水受け７のフランジ部３２の外周縁にフランジ部３２の全周に亘る堰部５０を立設する。【選択図】図１
2008206695.tif 000002
【特許請求の範囲】
【請求項１】
便器外郭体と、該便器外郭体内に形成した上方に開口する収納部に収納される汚水受けと、該汚水受けに出入自在に収納される排泄物容器を備え、汚水受けは、上方に開口する容器状の汚水受け本体と、該汚水受け本体の上端開口の周縁部から外方に向けて突出して便座を載置するための便座載置部を有するフランジ部を備え、該フランジ部を前記便器外郭体の収納部の上端開口の周縁部上に前後方向にスライド自在に載置し、該汚水受けのフランジ部の外周縁にフランジ部の全周に亘る堰部を立設して成ることを特徴とする可搬便器。
【請求項２】
フランジ部の前端部両側に設けた堰部で便座に着座した人の太股を支持するための太股支持部を構成し、該太股支持部の上面をフランジ部の便座載置部上に載置した便座の上面と面一となる高さに配置することを特徴とする請求項１に記載の可搬便器。
【請求項３】
汚水受けのフランジ部の上面に汚水受け本体の上端開口に向かって下り傾斜した勾配を設けて成ることを特徴とする請求項１又は請求項２に記載の可搬便器。
【請求項４】
汚水受けのフランジ部の上面に防汚処理を施して成ることを特徴とする請求項１乃至３のいずれか１項に記載の可搬便器。
【請求項５】
上記請求項１乃至４のいずれか１項に記載の可搬便器が有する汚水受け及び排泄物容器で構成した汚物受け。
【発明の詳細な説明】
【技術分野】
【０００１】
本発明は主に介護用に用いられる可搬便器及びこれに用いられる汚物受けに関する。
【背景技術】
【０００２】
従来、例えば特許文献１に示すような可搬便器が利用されている。この可搬便器は、図１１に示すように便器外郭体５と、該便器外郭体５内に収納されて便器外郭体５に固設した容器状の汚水受け７と、該汚水受け７のフランジ部３２上に前後方向にスライド自在に載置したスライド部材６０と、スライド部材６０上に上端部を載置することで汚水受け７に出入自在に収納した排泄物容器８と、汚水受け７のフランジ部３２の後端部上に固設した局部洗浄装置９と、局部洗浄装置９に回動自在に設けた便座２を備え、老人や身体障害者等は便座２に着座して排泄物容器８に用を足すことができ、また汚水受け７で排泄物容器８の外側に流れた汚水を受けられるようになっている。
【０００３】
上記スライド部材６０を後側に配置した状態では、排泄物容器８の後端部は汚水受け７の上端開口の後縁よりも前方に突出した局部洗浄装置９の前方突出部の下方に位置して仕舞い良く収納される。またこの状態から前方にスライドしてスライド部材６０を前側に配置した状態では、排泄物容器８を可搬便器の手前側から簡単に取り出すことができ、簡単に排泄物容器８内の排泄物を捨てることができる。
【０００４】
ところで上記特許文献１に示す可搬便器にあっては、排泄物容器８をスライド自在とするために汚水受け７のフランジ部３２上に別体のスライド部材６０を設ける必要があり、部品点数が多く、製造コストが高い。また汚水受け７のフランジ部３２とスライド部材６０の間に汚水が侵入する恐れもあり、この間の清掃作業は非常に面倒である。また汚水受け７は便器外郭体５に固設してあって、容易に取り外すことができず、メンテナンス性も悪い。また汚水受け７のフランジ部３２上に流れた汚水が汚水受け７の外縁から流れ出す恐れもある。
【特許文献１】特開２００６−８７７２４号公報
【発明の開示】
【発明が解決しようとする課題】
【０００５】
本発明は上記従来の問題点に鑑みて発明したものであって、汚水受けに対して排泄物容器をスライドさせるための部材を汚水受け上に別途設けることなく、排泄物容器を前方に引き出して排泄物容器を取り出し易い位置に配置でき、部品点数、製造コストを削減でき、汚水受けのフランジ部上の清掃も容易にでき、またメンテナンス性を向上でき、しかも汚水受けのフランジ部上の汚水が汚水受けの外周縁から漏れ出すことを防止できる可搬便器及びこれに用いられる汚物受けを提供することを課題とする。
【課題を解決するための手段】
【０００６】
上記課題を解決するために本発明に係る可搬便器は、便器外郭体５と、該便器外郭体５内に形成した上方に開口する収納部６に収納される汚水受け７と、該汚水受け７に出入自在に収納される排泄物容器８を備え、汚水受け７は、上方に開口する容器状の汚水受け本体３１と、該汚水受け本体３１の上端開口の周縁部から外方に向けて突出して便座２を載置するための便座載置部３４を有するフランジ部３２を備え、該フランジ部３２を前記便器外郭体５の収納部６の上端開口の周縁部上に前後方向にスライド自在に載置し、該汚水受け７のフランジ部３２の外周縁にフランジ部３２の全周に亘る堰部５０を立設して成ることを特徴とする。このように汚水受け７を便器外郭体５に対して前後方向にスライド自在とすることで、汚水受け７と共に排泄物容器８を前方に引き出して、排泄物容器８を取り出し易い位置に配置できる。また汚水受け７のフランジ部３２を収納部６の上端開口の周縁部上に前後方向にスライド自在に載置したので、汚水受け７に対して排泄物容器８をスライドさせるための部材を別途設ける必要がない。また汚水受け７は便器外郭体５内に形成した収納部６から容易に取り出すことができる。また上記汚水受け７のフランジ部３２の周縁部に立設した堰部５０により汚水受け７のフランジ部３２上の汚水が汚水受け７の外周縁から漏れ出すことを防止できる。
【０００７】
またフランジ部３２の前端部両側に設けた堰部５０で便座２に着座した人の太股を支持するための太股支持部４２を構成し、該太股支持部４２の上面を便座載置部３４上に載置した便座２の上面と面一となる高さに配置することも好ましい。この場合、便座２に着座した人の太股は便座２の上面で支持されると共に該便座２の上面と面一となった汚水受け７の太股支持部４２の上面でも支持されることとなり、太股の支持面積を増大できる。
【０００８】
また汚水受け７のフランジ部３２の上面に汚水受け本体３１の上端開口に向かって下り傾斜した勾配を設けることも好ましい。この場合、フランジ部３２上の汚水をスムーズに汚水受け本体３１側に流すことができ、汚水受け７の外周から汚水が漏れ出すことをより一層防止できる。
【０００９】
また汚水受け７のフランジ部３２の上面に防汚処理を施すことも好ましい。フランジ部３２の上面を清潔に保つことができる。
【００１０】
また本発明の可搬便器に用いられる汚物受けは、上記請求項１乃至４のいずれか１項に記載の可搬便器１が有する汚水受け７及び排泄物容器８で構成した汚物受けである。
【発明の効果】
【００１１】
請求項１に係る発明では、汚水受けを便器外郭体に対して前後方向にスライド自在とすることで、汚水受けと共に排泄物容器を前方に引き出して、排泄物容器を取り出し易い位置に配置できる。また汚水受けのフランジ部を収納部の上端開口の周縁部上に前後方向にスライド自在に載置したので、汚水受けに対して排泄物容器をスライドさせるための部材を汚水受け上に別途設ける必要がなく、部品点数、製造コストを削減でき、また汚水受け上の清掃も容易になる。また汚水受けを便器外郭体内に形成した収納部から容易に取り出すことができ、メンテナンス性を向上できる。また堰部により汚水受けのフランジ部上の汚水が汚水受けの外周縁から漏れ出すことを防止できる。
【００１２】
また請求項２に係る発明では、請求項１に係る発明の効果に加えて、便座に着座した人の太股の支持面積を増大でき、使用者はより安定した姿勢で便座に着座でき、また便座や汚水受けが着座時に破損し難くなる。
【００１３】
また請求項３に係る発明では、請求項１又は請求項２に係る発明の効果に加えて、フランジ部上の汚水をスムーズに汚水受け本体側に流すことができ、汚水受けの外周から汚水が漏れ出すことをより一層防止できる。
【００１４】
また請求項４に係る発明では、請求項１乃至請求項３のいずれか一項に係る発明の効果に加えて、防汚処理によりフランジ部の上面を一層清潔にできる。
【００１５】
また請求項５に係る発明では上記請求項１乃至４のいずれか１項に記載の可搬便器が有する汚水受け及び排泄物容器で構成した汚物受けを提供できる。
【発明を実施するための最良の形態】
【００１６】
以下、本発明の可搬便器を添付図面に示す実施形態に基づいて説明する。なお以下では、用を足す時に可搬便器１の便座２に着座した人を基準とし、該着座者から見て前側を前方、後側を後方として説明する。
【００１７】
本実施形態の一例の可搬便器１は椅子型で、図１乃至４に示すように便器外郭体５、脚体１１、肘掛け体１２を有する椅子構造体４と、便器外郭体５内に形成した上方に開口する収納部６に収納される汚水受け７と、汚水受け７に収納される排泄物容器８と、局部洗浄装置９と、便座２と、タンク受け１０を備え、汚水受け７と排泄物容器８とで汚物受け３を構成している。
【００１８】
椅子構造体４は木製であり、汚水受け７、排泄物容器８、タンク受け１０はポリプロピレン樹脂よりなる。なお汚水受け７、排泄物容器８、タンク受け１０は、ＡＢＳ樹脂、ＡＳ樹脂、ポリカーボネート、ポリエチレン等の熱可塑性の合成樹脂で成形しても良い。
【００１９】
便器の外郭を構成する便器外郭体５は、左右両側の側板１３、１３と、両側板１３、１３の前端間に架設した前板１４と、両側板１３、１３と前板１４とで囲まれた空間の上方を覆う天板１５を備えている。両側板１３、１３の後部の下部には後板１６を架設してあり、後板１６よりも後方に位置する両側板１３、１３の後端部の下端部間には桟１７を架設してあり、便器外郭体５は略箱状に形成されている。
【００２０】
便器外郭体５の内側には両側板１３、１３、前板１４、後板１６、天板１５で囲まれた空間からなる収納部６を形成してあり、天板１５には収納部６の上端開口として開口部１５ａ（図８参照）を形成している。便器外郭体５の両側板１３、１３の夫々には脚体１１を設けてあり、便器外郭体５は両側の脚体１１を介して床上に配置される。便器外郭体５は各脚体１１に対して高さ調節自在に取り付けてある。図４に示すように各脚体１１の下端部に設けた接地板１９の後端にはキャスター２０を設けてあり、各キャスター２０のローラー２０ａを床面上で転動させることで可搬便器１を簡単に移動できる。
【００２１】
便器外郭体５の後端部には背枠２１を立設してあり、背枠２１の上部前側には背当て２２を取り付けている。便器外郭体５の両側には便座３に着座した人の肘を掛けるための肘掛け体１２を配設してあり、各肘掛け体１２の後端部は背枠２１に連結し、また各肘掛け体１２の前部は支柱２５を介して便器外郭体５の側板１３に連結してある。
【００２２】
図４に示すように便器外郭体５の後方部にはタンク受け１０を設けている。タンク受け１０は、受け部２６と、前側上端部に設けた引掛け部２７を備え、受け部２６には局部洗浄装置９に供給される水を貯めるタンク２８が収納され、引掛け部２７を天板１５の開口部１５ａの後方部に引っ掛けることで便器外郭体５に支持してある。
【００２３】
便器外郭体５の上面を構成する天板１５の開口部１５ａの後方部上には引掛け部２７を介して局部洗浄装置９を載置固定してあり、局部洗浄装置９と便器外郭体５の天板１５とで引掛け部２７を挟持している。局部洗浄装置９の前部は天板１５の開口部１５ａの後縁よりも前方に突出した前方突出部９ａとなっている。前方突出部９ａの下部は収納部６内に位置し、同部には便座２に着座した人の局部を洗浄するための局部洗浄ノズル３０を内装している。図１中２９は局部洗浄装置９の操作器である。なお図２及び図９では図面の簡素化のため操作器２９の図示を省略している。
【００２４】
局部洗浄装置９には便座２の後端部を回動自在に取り付けている。便座２上には図９に示すように必要に応じて座体２４が便座２の開口を閉塞するよう載置され、この座体２４は使用者が着座するための座部として利用される。
【００２５】
図６に示す汚水受け７は便器外郭体５の収納部６に開口部１５ａを介して出入自在に収納される。汚水受け７は、上方に開口する容器状の汚水受け本体３１と、汚水受け本体３１の上端開口の周縁部から外方に向けて一体に突出するフランジ部３２とで構成してある。汚水受け７はフランジ部３２が便器外郭体５の収納部６の上端開口の両側の縁部（即ち天板１５の開口部１５ａの両側縁部）上に前後方向にスライド自在に載置して支持され、汚水受け７を便器外郭体５に対して前後方向に移動することで、図４に示す収納位置と図５に示す引出位置に配置できるようになっている。
【００２６】
図６に示すようにフランジ部３２は汚水受け本体３１の上端開口の周縁部の全周に亘って設けてあり、内周縁部（即ち汚水受け本体３１の上端開口の周縁部を構成する部分）を構成する平面視環状の容器載置部３３と、容器載置部３３の後端部を除く外周縁から外方に突出した平面視略Ｕ字状の便座載置部３４と、便座載置部３４の前縁に設けた上方突出部４０を備えている。
【００２７】
容器載置部３３の内周縁には係止リブ３５を立設してあり、係止リブ３５の後縁部にはリブ切欠３６を形成している。容器載置部３３の後端部及びこれに連続する両側の後部は他部よりも幅広に形成してあり、同部の外周部は取手載置部３７となっている。取手載置部３７を含む容器載置部３３の外周縁には全周に亘って立上壁部３８を立設し、立上壁部３８の後縁部には壁部切欠３９を形成している。
【００２８】
便座載置部３４は立上壁部３８の後部を除く外周縁部の上端から外方に突出し、容器載置部３３よりも一段高くなっている。便座載置部３４の前縁に接続した上方突出部４０は便座載置部３４よりも上方に突出している。また便座載置部３４の上方突出部４０を設けた前縁を除く外周縁には全長に亘って上向きリブ４１を立設している。即ち本例ではフランジ部３２の外周縁部に立設した立上壁部３８と上向きリブ４１と上方突出部４０とで汚水受け７のフランジ部３２の全周に亘る堰部５０を構成している。
【００２９】
上方突出部４０の左右方向の両側部分は中央部よりも一段高くなった太股支持部４２を構成している。各太股支持部４２の上面は便座載置部３４に載置した便座２の前部の上面と同レベルに位置し、便座載置部３４に便座２を載置した場合、便座２の上面と各太股支持部４２の上面が面一となる。これにより便座２に着座した人の太股は便座２の上面で支持されると共に該便座２の上面と面一となった汚水受け７の太股支持部４２の上面でも支持されることとなり、太股の支持面積が増大する。従って使用者はより安定した姿勢で便座２に着座でき、また便座２や汚水受け７は着座時に破損し難くなる。また各太股支持部４２には上方に開口する嵌込凹所４３を形成してあり、前述の座体２４から下方に突設した嵌込部（図示せず）を嵌込凹所４３に嵌め込んで座体２４を位置決めできるようになっている。
【００３０】
上方突出部４０の左右方向の中央部は便座載置部３４に載置した便座２の前端部よりも背が低く、その上方に手指挿通用凹所４４を形成している。これにより汚水受け７の前方から手指挿通用凹所４４に手指を入れ、便座載置部３４に載置した便座２の前端部下面に手指を掛けて便座２を起立させることが可能となっている。また上方突出部４０の前面の左右方向の中央部には前方にやや突出した手指掛け部４５を形成してあり、手指掛け部４５の下端に手指を掛けて汚水受け７を前方に引き出せるようになっている。
【００３１】
また図１０に示すようにフランジ部３２の両側縁には下向きリブ５１を垂設してあり、該下向きリブ５１とフランジ部３２の両側に位置する立上壁部３８との間に下方に開口するガイド溝５２を形成している。汚水受け７のガイド溝５２の上底部を構成する便座載置部３４は便器外郭体５の天板１５上に載置している。また該汚水受け７の両側のガイド溝５２内には天板１５の両側部分が前後方向にスライド自在に収納してあり、これにより汚水受け７は便器外郭体５に対してスライド自在となっている。
【００３２】
図７に示す排泄物容器８はその上端周縁部に外方に向けて突出する断面Ｌ字状の鍔部４６を設けてあり、鍔部４６の外周縁には下方に向けて突出する被係止突部４７を設けている。排泄物容器８の両側の後部上端部間には取手４８を回動自在に架設している。図４に示すように排泄物容器８は汚水受け７の容器載置部３３に鍔部４６を載置すると共に被係止突部４７を汚水受け７の係止リブ３５に係止することで汚水受け７上に支持され、汚水受け本体３１に収納される。またこのように汚水受け７に排泄物容器８を収納支持した状態では、図４のように排泄物容器８の後方に取手４８を倒して汚水受け７の取手載置部３７上に載置し、立上壁部３８と係止リブ３５との間に収納できるようになっている。また排泄物容器８の後面部の上端部には容器切欠４９を形成してあり、容器切欠４９は、汚水受け７に排泄物容器８を収納支持した状態で、汚水受け７のリブ切欠３６と重複して壁部切欠３９と対向する。
【００３３】
図４等に示すように上記排泄物容器８の上端部には必要に応じて排泄物容器８の上端開口を閉塞する蓋体５３が着脱自在に嵌め込まれるものであり、この蓋体５３の後面部の上端部には蓋体切欠５４を形成している。
【００３４】
ここで図４に示すように汚水受け７を後方に移動して汚水受け本体３１が収納部６において最も後側に配置される収納位置に配置した場合には、排泄物容器８の上端後縁部及び取手載置部３７上に載置した取手４８が局部洗浄装置９の前方突出部９ａの前縁よりも後方に位置し、局部洗浄装置９の前方突出部９ａの下方に汚水受け本体３１の後端部が位置する。またこの時、局部洗浄装置９の前方突出部９ａの下部が排泄物容器８内に臨む。これにより排泄物容器８は排泄物や局部洗浄ノズル３０から噴射した水を確実に受ける便座２の開口の下方の位置に配置される。
【００３５】
また図５に示すように収納位置から汚水受け７を前方に移動して汚水受け本体３１が収納部６の最も前側に配置される引出位置に配置した場合には、排泄物容器８及び取手載置部３７上に載置した取手４８が局部洗浄装置９の前縁よりも前方に位置する。従って便座２を起立させて汚水受け７を引出位置に配置することで、汚水受け７に収納した排泄物容器８の取手４８を把持でき、また排泄物容器８の上端後縁部が局部洗浄装置９の前方突出部９ａに引っ掛かることなく排泄物容器８を汚水受け７から取り出すことが可能となり、排泄物容器８の取り出しが容易になる。また、排泄物容器８に嵌め込んだ蓋体５３も容易に取り外すことができる。さらにはこの場合、汚水受け７の上端後縁部は局部洗浄装置９の前方突出部９ａの下方に位置するが、前記収納位置よりも前方に位置しているため、汚水受け７も便器外郭体５の収納部６から容易に取り出すことができる。
【００３６】
なお、上記汚水受け７を図４に示す収納位置から図５に示す引出位置に引き出した場合は、局部洗浄装置９の前方突出部９ａの下部は、蓋体切欠５４、容器切欠４９を通過して壁部切欠３９の内側に位置するものであり、このように汚水受け７は局部洗浄装置９の前方突出部９ａの下部に干渉することなくスライド可能となっている。
【００３７】
上記可搬便器１を利用するには、便座２上の座体２を取り外し、汚水受け７を図４に示す収納位置に配置して汚水受け７上に載置した便座２に着座して排泄物容器８内に用を足す。また排泄物容器８内の排泄物を捨てるには、前述のように汚水受け７を引出位置に配置して排泄物容器８を汚水受け７から取り出す。
【００３８】
以上説明した本発明の可搬便器１にあっては、汚水受け７を前後方向にスライドすることで、汚水受け７と共に排泄物容器８を前方に引き出して、排泄物容器８を取り出し易い位置に配置できる。また汚水受け７のフランジ部３２を収納部６の上端開口の周縁部上に前後方向にスライド自在に載置したので、汚水受け７に対して排泄物容器８をスライドさせるための部材を別途設ける必要がなく、部品点数、製造コストを削減でき、また汚水受け７上の清掃も容易になる。また図８に示すように汚水受け７を便器外郭体５内に形成した収納部６から取り出すことでメンテナンス性を向上でき、またこの汚水受け７の取り出しも汚水受け７を前後方向にスライド自在としたことで容易になる。また上記汚水受け７のフランジ部３２の周縁部に該フランジ部３２の全周に亘る堰部５０を立設してあるので、汚水受け７のフランジ部３２上の汚水が汚水受け７の外周縁から漏れ出すことを防止できる。
【００３９】
ここで上記汚水受け７のフランジ部３２の上面には汚水受け本体３１の上端開口に向かって下り傾斜した勾配を設けることが好ましく、この場合、フランジ部３２上の汚水をスムーズに汚水受け本体３１側に流すことができ、汚水受け７の外周から汚水が漏れ出すことをより一層防止できる。また上記汚水受け７の上面に撥水処理を施したり、光触媒を塗布して防汚処理を施すことが好ましく、この場合、フランジ部３２の上面を清潔に保つことができる。
【図面の簡単な説明】
【００４０】
【図１】本発明の実施の形態の一例の可搬便器を示す全体斜視図である。
【図２】同上の可搬便器を示し、（ａ）は平面図、（ｂ）は側面図、（ｃ）は下面図である。
【図３】図２（ａ）のＡ−Ａ′断面図である。
【図４】図２（ａ）のＢ−Ｂ′断面図である。
【図５】同上の可搬便器の汚水受けを引出位置に配置した状態を示す図２（ａ）のＢ−Ｂ′断面図である。
【図６】同上の汚水受けの斜視図である。
【図７】同上の排泄物容器の斜視図である。
【図８】同上の可搬便器から汚水受けを取り外した状態を示す図２（ａ）のＢ−Ｂ′断面図である。
【図９】同上の可搬便器の便座に座体を載置した状態を示し、（ａ）は正面図であり、（ｂ）は側面図である。
【図１０】図３の要部拡大図である。
【図１１】従来の可搬便器の分解斜視図である。
【符号の説明】
【００４１】
１  可搬便器
２  便座
５  便器外郭体
７  汚水受け
８  排泄物容器
３１  汚水受け本体
３２  フランジ部
３４  便座載置部
４２  太股支持部
５０  堰部
【図１】
2008206695.tif 000003
【図２】
2008206695.tif 000004
【図３】
2008206695.tif 000005
【図４】
2008206695.tif 000006
【図５】
2008206695.tif 000007
【図６】
2008206695.tif 000008
【図７】
2008206695.tif 000009
【図８】
2008206695.tif 000010
【図９】
2008206695.tif 000011
【図１０】
2008206695.tif 000012
【図１１】
2008206695.tif 000013